【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】データ受信装置
【手続補正２】
【補正対象書類名】明細書
【補正対象項目名】特許請求の範囲
【補正方法】変更
【補正の内容】
【特許請求の範囲】
【請求項１】
番組の構成要素の内容に応じて付加された属性値と前記番組を受信する受信手段と、
前記属性値を参照し、ユーザが過去に利用した番組または前記番組の構成要素の時間的累積値によって決定された属性値に対する重要度を算出し記憶するユーザプロファイル記憶手段と、
前記ユーザプロファイル記憶手段で記憶されている重要度を用いて構成要素を少なくとも１つ選択して記録媒体に記録する記録手段と、
前記構成要素を記録する前記記録媒体の記憶容量の残量が少ない場合に、前記ユーザプロファイル記憶手段で記憶されている前記重要度が低い既に記録済みの構成要素を編集し、前記記録媒体に記録する容量を増加させる重要度比較型コンテンツ選択手段とを備えた、データ受信装置。
【請求項２】
前記記録手段は、選択された前記構成要素を記録する際に、記録日時を同時に記録し、
前記重要度比較型コンテンツ選択手段は、記録されてからの経過時間に応じて、より重要度の低い前記構成要素から順次削除する、請求項１記載のデータ受信装置。
【請求項３】
前記重要度比較型コンテンツ選択手段は、所定の時間間隔で、前記ユーザプロファイル記憶手段で記憶されている属性値に対する重要度の変化に基づき、前記記録手段で記録されている前記構成要素を編集する、請求項１記載のデータ受信装置。
【請求項４】
前記記録手段で選択された構成要素の選択に利用された属性値または重要度の少なくとも１つを表示する表示手段を備えた、請求項１記載のデータ受信装置。
【請求項５】
番組の構成要素の内容に応じて付加された属性値と前記番組を受信する受信手段と、
前記属性値を参照し、ユーザが過去に利用した番組または前記番組の構成要素の時間的累積値によって決定された属性値に対する重要度を算出し記憶するユーザプロファイル記憶手段と、
前記ユーザプロファイル記憶手段で記憶されている重要度を用いて構成要素を少なくとも１つ選択して記録媒体に記録する記録手段と
前記記録手段で記録する構成要素の選択に利用された理由として、属性値または重要度または再生所要時間の少なくとも１つを表示する表示手段とを備えた、データ受信装置。
【手続補正３】
【補正対象書類名】明細書
【補正対象項目名】０００１
【補正方法】変更
【補正の内容】
【０００１】
【発明の属する技術分野】
本発明は、ディジタル放送やネットワークを介したコンテンツ配信における付加情報を利用したデータ受信装置に関する。
【手続補正４】
【補正対象書類名】明細書
【補正対象項目名】０００５
【補正方法】変更
【補正の内容】
【０００５】
本発明は、かかる点に鑑み、番組中のユーザが見たい部分だけを編集して蓄積することが出来るデータ受信装置を提供することを目的とするものである。
【手続補正５】
【補正対象書類名】明細書
【補正対象項目名】０００６
【補正方法】変更
【補正の内容】
【０００６】
【課題を解決するための手段】
上述した課題を解決するために、第１の本発明は、番組の構成要素の内容に応じて付加された属性値と前記番組を受信する受信手段と、
前記属性値を参照し、ユーザが過去に利用した番組または前記番組の構成要素の時間的累積値によって決定された属性値に対する重要度を算出し記憶するユーザプロファイル記憶手段と、
前記ユーザプロファイル記憶手段で記憶されている重要度を用いて構成要素を少なくとも１つ選択して記録媒体に記録する記録手段と、
前記構成要素を記録する前記記録媒体の記憶容量の残量が少ない場合に、前記ユーザプロファイル記憶手段で記憶されている前記重要度が低い既に記録済みの構成要素を編集し、前記記録媒体に記録する容量を増加させる重要度比較型コンテンツ選択手段とを備えた、データ受信装置である。
また、第２の本発明は、前記記録手段は、選択された前記構成要素を記録する際に、記録日時を同時に記録し、
前記重要度比較型コンテンツ選択手段は、記録されてからの経過時間に応じて、より重要度の低い前記構成要素から順次削除する、第１の本発明のデータ受信装置である。
また、第３の本発明は、前記重要度比較型コンテンツ選択手段は、所定の時間間隔で、前記ユーザプロファイル記憶手段で記憶されている属性値に対する重要度の変化に基づき、前記記録手段で記録されている前記構成要素を編集する、第１の本発明のデータ受信装置である。
また、第４の本発明は、前記記録手段で選択された構成要素の選択に利用された属性値または重要度の少なくとも１つを表示する表示手段を備えた、第１の本発明のデータ受信装置である。
また、第５の本発明は、番組の構成要素の内容に応じて付加された属性値と前記番組を受信する受信手段と、
前記属性値を参照し、ユーザが過去に利用した番組または前記番組の構成要素の時間的累積値によって決定された属性値に対する重要度を算出し記憶するユーザプロファイル記憶手段と、
前記ユーザプロファイル記憶手段で記憶されている重要度を用いて構成要素を少なくとも１つ選択して記録媒体に記録する記録手段と
前記記録手段で記録する構成要素の選択に利用された理由として、属性値または重要度または再生所要時間の少なくとも１つを表示する表示手段とを備えた、データ受信装置である。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００２７
【補正方法】変更
【補正の内容】
【００２７】
なお、本実施の形態のユーザにとっての重要度は本発明の重要度の例である。また、本実施の形態の受信部は本発明の受信手段の例であり、本実施の形態の選択コンテンツ蓄積手段は本発明の記録手段の例である。
【手続補正１９】
【補正対象書類名】明細書
【補正対象項目名】００３５
【補正方法】削除
【補正の内容】
【手続補正２０】
【補正対象書類名】明細書
【補正対象項目名】００３８
【補正方法】変更
【補正の内容】
【００３８】
以上のように構成された第３の実施の形態の動作を図９のフローチャートを用いて説明する。ただし、第１の実施の形態の受信システムの動作を表す図５のフローチャートの[STEP1a]〜[STEP2a]、[STEP4a]〜[STEP6a]は、それぞれ図９における[STEP1c]〜[STEP2c]、[STEP4c]〜[STEP6c]とは動作が同じであるので説明は省略し、異なる動作を表す[STEP3c#1]〜[STEP3c#7]についてのみ説明する。これらのステップは、重要度比較型コンテンツ選択手段１０により実行される。
[STEP3c#1]重要度最低の既存コンテンツの選択
少なくとも１つ既存コンテンツが存在する場合、ユーザにとって最も重要度が低い既存コンテンツを選択する。ここで、ユーザにとっての個々のコンテンツの重要度は、例えば次のようにして求める。コンテンツの内容を表す特徴として、コンテンツの付加情報であるキーワードとその重要度（図３では、取組(1).構成要素(1).キーワート゛(1)と取組(1).構成要素(1).重要度(1)など）からなるキーワードベクトルに注目すると、個々のコンテンツの「ユーザにとっての重要度」は、例えば図４に示すようなユーザプロファイル中のキーワードと重要度からなるキーワードベクトルとの内積により与えられる。内積の値が大きいほど「ユーザにとっての重要度」は高く、値が小さいほど「ユーザにとっての重要度」は低いと判断する。ここで、コンテンツの付加情報内に複数の同一キーワードがある場合には、例えばそのキーワードの重要度は加算すればよい。
[STEP3c#2]蓄積対象コンテンツとの重要度比較
蓄積対象コンテンツのユーザにとっての重要度がSTEP3c#1で選択された既存コンテンツの重要度より大きい場合STEP3c#3へ、それ以外はSTEP3c#6へ.
[STEP3c#3]既存コンテンツの再編集による記憶領域の増加
STEP3c#1で選択された既存コンテンツの付加情報およびユーザプロファイルのキーワードと重要度を参照し、ユーザにとって重要度の低い部分を削除して、記憶容量を増加させる。例えば、図４のユーザＡに対する既存コンテンツとして、図３に示したコンテンツの中で若乃花の重要度が高い「取組(1).構成要素(1).キーワート゛(1)：若乃花、取組(1).構成要素(1).重要度(1)：0.5、取組(1).構成要素(1).開始時間：02:42:20、取組(1).構成要素(1).終了時間：02:43:34」および「取組(1).構成要素(3).キーワート゛(1)：若乃花、取組(1).構成要素(3).重要度(1)：0.9、取組(1).構成要素(3).開始時間：02:46:11、取組(1).構成要素(3).終了時間：02:48:21」の２つの部分が蓄積されていた場合、より重要度の低い後者のシーンを削除する。
[STEP3c#4]
選択された既存コンテンツの再編集の結果、蓄積対象コンテンツが蓄積可能な分だけ記憶容量があいたかどうかをチェックする。蓄積可能と判断した場合には、STEP3c#5へ。まだ容量が不足する場合には、STEP3c#7へ。
[STEP3c#5]
第１の実施の形態の動作を表す図５のフローチャートのSTEP3aと同様に、現在の蓄積対象コンテンツからユーザにとって重要度が高い部分を蓄積する。
[STEP3c#6]
現在の記憶容量で記憶可能な部分のみ現在の蓄積対象コンテンツを蓄積する。[STEP3c#7]
再編集された既存コンテンツを重要度比較対象から除外し、STEP3c#1へ。
なお、ここでは、既存コンテンツ個々について重要度の低い部分を削除する例で説明したが、重要度の低いコンテンツそのものを順に削除してもよい。
【手続補正２１】
【補正対象書類名】明細書
【補正対象項目名】００４０
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００５２
【補正方法】削除
【補正の内容】
【手続補正２４】
【補正対象書類名】明細書
【補正対象項目名】００５９
【補正方法】削除
【補正の内容】
【手続補正２５】
【補正対象書類名】明細書
【補正対象項目名】００６２
【補正方法】変更
【補正の内容】
【００６２】
以上のように構成された第７の実施の形態の動作を図１７のフローチャートを用いて説明する。ただし、[STEP2g]〜[STEP7g]は、第１の実施の形態の受信システムの動作を表す図５のフローチャートの[STEP1a]〜[STEP6a]と動作が同じであるので説明は省略し、異なる動作を表す[STEP1g]のみ説明する。
[STEP1g]再生所用時間および構成要素選択使用属性の表示
蓄積時間表示型コンテンツ利用支援手段１４により、既存蓄積コンテンツの再生所用時間を算出し、その値とコンテンツの構成要素選択に使用した属性、属性値、重要度のうち少なくとも１つを同時に表示する。図１８に例を示す。
【手続補正２６】
【補正対象書類名】明細書
【補正対象項目名】００７８
【補正方法】変更
【補正の内容】
【００７８】
なお、本発明のデータ受信装置を構成する各ステップまたは各手段の、機能の全部または一部をハードウェアで実現しても構わないし、コンピュータのプログラムを利用してソフトウェア的に実現しても構わない。
【手続補正２７】
【補正対象書類名】明細書
【補正対象項目名】００７９
【補正方法】変更
【補正の内容】
【００７９】
さらに、本発明のデータ受信装置を構成する各ステップまたは各手段の、機能の全部または一部をコンピュータで実行させるためのプログラムを格納したプログラム記録媒体を作成してもよい。
【手続補正２８】
【補正対象書類名】明細書
【補正対象項目名】００８０
【補正方法】変更
【補正の内容】
【００８０】
【発明の効果】
以上説明したところから明らかなように、本発明は個々のユーザにとって見たいシーンのみを集めたコンテンツを提供することができるデータ受信装置を提供することが出来る。
【手続補正２９】
【補正対象書類名】明細書
【補正対象項目名】００８１
【補正方法】変更
【補正の内容】
【００８１】
また、本発明は、記憶容量が少ない場合でも、ユーザにとって重要度の高いコンテンツの構成要素を蓄積できるデータ受信装置を提供することが出来る。
【手続補正３０】
【補正対象書類名】明細書
【補正対象項目名】００８２
【補正方法】変更
【補正の内容】
【００８２】
また、本発明は、ユーザにとってより重要度の高いコンテンツを優先的に蓄積することができるデータ受信装置を提供することが出来る。
【手続補正３１】
【補正対象書類名】明細書
【補正対象項目名】００８３
【補正方法】変更
【補正の内容】
【００８３】
また、本発明は、ユーザにとってより情報のエッセンスのみを効率よく管理することができるデータ受信装置を提供することが出来る。
【手続補正３２】
【補正対象書類名】明細書
【補正対象項目名】００８４
【補正方法】変更
【補正の内容】
【００８４】
また、本発明は、いったん蓄積されたコンテンツを、刻々と変化するユーザの嗜好に合せてコンテンツを再編集できるデータ受信装置を提供することが出来る。
【手続補正３３】
【補正対象書類名】明細書
【補正対象項目名】００８５
【補正方法】変更
【補正の内容】
【００８５】
また、本発明は、有効に記憶領域を使用することができるデータ受信装置を提供することが出来る。
【手続補正３４】
【補正対象書類名】明細書
【補正対象項目名】００８６
【補正方法】変更
【補正の内容】
【００８６】
また、本発明は、ユーザにとってより蓄積コンテンツが選択しやすくなるデータ受信装置を提供することが出来る。
【手続補正３５】
【補正対象書類名】明細書
【補正対象項目名】００８７
【補正方法】変更
【補正の内容】
【００８７】
また、本発明は、実際に見て興味のない内容を簡単に飛ばしてみることができるデータ受信装置を提供することが出来る。